【事件の表示】
　特願２００２−２５７２６９号「靴」拒絶査定不服審判事件〔平成１６年３月２５日出願公開、特開２００４−８９５４５号〕について、次のとおり審決する。
【結　論】
　本件審判の請求は、成り立たない。
【理　由】
１．手続の経緯・本願発明
　本願は、平成１４年９月３日の出願であって、その請求項１に係る発明は、平成１８年５月１７日に手続補正された特許請求の範囲の請求項１に記載された次のとおりのものである。（以下「本願発明」という。）
「靴本体のはき口切欠部の対向する両側縁部に、１列の紐孔群をそれぞれ設け、前記切欠部を塞ぐ舌片を取付け、前記紐孔群の上方より１番目と２番目の紐孔に紐を挿通して対のループを設け、この両ループをフックで係止して紐を所要の締結状態にロック可能とし、前記舌片上部の前記両側縁部１番目の紐孔間を結ぶ紐下の中央部に、脱落防止紐通し片を設け、前記紐を横方向に挿通して舌片上の紐通し片と一体化した結び目を作成可能とした靴。」
　
２．引用刊行物
（１）引用刊行物１
　これに対して、当審で通知した拒絶の理由に引用され、本願出願前に頒布された特開２００１−２１８６０５号公報（以下「引用刊行物１」という。）には、図１〜５とともに以下の事項が記載されている。
ア．「本発明は、紐で足を締め付ける作業靴において、作業靴を脱いだり、履いたりする動作を容易に行える作業靴に関する。」（段落【０００１】）
イ．「本発明の第一の実施の形態を図１および図２（ａ），（ｂ）を用いて説明する。図１は、本発明の作業靴１の斜視図である。作業靴１は足の裏を支える靴底部２を有し、靴底部２の先端側には、足のつま先部分を覆う、つま革部３が取り付けられている。靴底部２の後部側には腰革部４が取り付けられており、この腰革部４は、足の甲およびかかとを覆っている。この腰革部４は、その上側に足を入れるための開口部５を形成している。開口部５の前方に位置する部分は左右に割れて、左片６、右片７からなる割れ部８を形成しており、左片６および右片７の下面には舌革部９が重なっている。
　左片６の側縁には、紐１０を通すための締め付け部１１ａ，１２ａ，１３ａが、右片７の側縁には、紐１０を通すための締め付け部１１ｂ，１２ｂ，１３ｂがそれぞれつま革部３側から割れ部８に対して左右対称に配置されている。左片６の締め付け部１１ａ，１２ａは、帯状の部材の両端部を右片６に固着することで形成された輪状の挿通穴であり、左片６の締め付け部１３ａは、左片６に形成された貫通穴である。また、右片７の締め付け部１１ｂ，１２ｂは、帯状の部材の両端部を右片７に固着することで形成された挿通穴であり、右片７の締め付け部１３ｂは、右片７に形成された貫通穴である。
　紐１０を介して隣接する締め付け部のうち、締め付け部１２ａと締め付け部１３ａの間には経路長変更手段１４ａが形成され、締め付け部１２ｂと締め付け部１３ｂの間には経路長変更手段１４ｂが割れ部８に対して経路長変更手段１４ａと向かい合うように形成されてる。」（段落【００１０】〜【００１２】）
ウ．「また、図４（ａ）および図４（ｂ）に示すように、結束手段２７は、左片６と右片７の間に設けることもできる。結束手段２７は、その一端に面ファスナ２８を有し、紐１０が挿通された帯状の部材である。本実施の形態は、結束手段２７により、図４（ａ）のように、左片６と右片７の間において、締め付け部１２ａから締め付け部１３ａへ通された紐１０の経路長と、締め付け部１２ｂから締め付け部１３ｂへ通された紐１０の経路長を長くすることで、足を簡単に締め付けている。
　この作業靴１を脱ぐ場合は、図４（ｂ）のように、面ファスナ２８を剥がして紐１０の経路長を短くすることで、図３の場合と同様に、足の締め付け力を簡単に弱めることができる。作業靴１を履く場合は、左片６の締め付け部１２ａから締め付け部１３ａへ通された紐１０と、締め付け部１２ｂから締め付け部１３ｂへ通された紐１０とを結束手段２７により束ねて結束手段２７の一端と他端を面ファスナ２８で固定することで、作業靴１を脱ぐ前に締め付け力を簡単に再現することができる。」（段落【００２７】及び【００２８】）
エ．「また、第一の実施の形態において、左片６の締め付け部１１ａ〜１３ａは、左片６に形成された貫通穴や、左片６に遊着された金具、または、左片６に固定された帯状部材が形成する挿通用の穴とすることができる。同様に、右片７の締め付け部１１ｂ〜１３ｂは、右片７に形成された貫通穴や、右片７に遊着された金具、または、右片７に固定された帯状部材が形成する挿通用の穴とすることもできる。
　・・・（中略）・・・
　また、面ファスナ１６ａ，１６ｂの代わりに、フックやホックを用いても良い。」（段落【００４０】〜【００４２】）
オ．図１及び４には、左片６の側縁に配置されている締め付け部１１ａ，１２ａ，１３ａ及び右片７の側縁に配置されている締め付け部１１ｂ，１２ｂ，１３ｂは、それぞれ開口部５の側から１３ａ，１２ａ，１１ａ及び１３ｂ，１２ｂ，１１ｂに並び、これら締め付け部を通された紐１０が一番開口部５の側にある締め付け部１３ａ，１３ｂ間で結ばれる態様、及び舌革部９が、左片６および右片７の下面に重なって、割れ部８を下面から塞ぐように配置される態様が図示されている。
　上記ア．〜エ．の記載事項及びオ．の図示内容を、特に図４の実施例に着目して総合すると、引用刊行物１には、以下の発明（以下「引用発明」という。）が記載されていると認められる。
「作業靴１の足を入れるための開口部５の前方に位置する、左右に割れて、左片６、右片７からなる割れ部８の左片６、右片７の側縁のそれぞれに、紐１０を通すための締め付け部１１ａ，１２ａ，１３ａ及び締め付け部１１ｂ，１２ｂ，１３ｂを左右対称に配置し、それぞれ開口部５の側から１３ａ，１２ａ，１１ａ及び１３ｂ，１２ｂ，１１ｂに並び、締め付け部１３ａ，１３ｂは左片６及び右片７に形成された貫通穴であり、締め付け部１１ａ，１２ａ及び締め付け部１２ｂ，１３ｂは輪状の挿通穴であり、
左片６および右片７の下面に重なって割れ部８を下面から塞ぐように舌革部９を配置し、
紐１０を締め付け部１２ａから締め付け部１３ａへと、締め付け部１２ｂから締め付け部１３ｂへと通し、
その一端に面ファスナ２８を有し、紐１０が挿通された帯状の部材である結束手段２７で、締め付け部１２ａから締め付け部１３ａへ通された紐１０と、締め付け部１２ｂから締め付け部１３ｂへ通された紐１０を束ねることで足を締め付けており、
これら締め付け部を通された紐１０が一番開口部５の側にある締め付け部１３ａ，１３ｂ間で結ばれる作業靴１。」
（２）引用刊行物２
　同じく、引用され、本願出願前に頒布された特公昭４０−２５１０５号公報（以下「引用刊行物２」という。）には、第１〜７図とともに以下の事項が記載されている。
ア．「次に第２位にある鳩目金具を内側から外側へと挿通する。次に従来の紐結び式でみるように互に交叉させることなく、そのまま左右両翼部の外側に沿い第３位にある鳩目金具に外側から内側へと挿通して、ここに第１の半環状部Ａ−５及びＡ−６を形成させる。
　次いで紐同志は左右両翼部の内側において互に交叉させたなら、第４位の鳩目金具にその内側から外側へと挿通して紐を外側に現わし、次にそのまま互に交叉させることなく第５位の鳩目金具に外側から内則へと挿通して、ここに第２の半環状部Ｂ−５，Ｂ−６を形成する。
　・・・（中略）・・・
　このように靴体に取付けられた紐３の第１半環状部Ａ−５，Ａ−６及び第２半環状部Ｂ−５，Ｂ−６のうちＡ−５とＢ−５には、第２図にその詳細構造を示した連繋金具Ａ−８，Ｂ−８を取付ける。
　このＡ−８，Ｂ−８は同一形状の連繋具であって、第２図における８がこれに該当しており、この連繋金具は例えば適宜形状の金属板を賦形して、その一端に紐３を挿通して紐に固定することのできる管状部８−Ｃを形成すると共に、他端には自由に紐３を引掛けることのできる鉤部８−Ｄを形成してある。」（第１頁右欄第３０行〜第２頁左欄第５行）
イ．「次に第７図示の実施態にあつては、靴紐を足をさしこむ開口部の外周縁に沿つて設けることなく、左右両翼部の最上位にある第１位鳩目金具に外側から内側へと挿通してそのほぼ中央を取付け、以下第１図について説明したと同じ要領で半環状部と交叉部及び蝶型結びを行えばよ・・・（中略）・・・い。」（第２頁左欄第１５〜２１行）
ウ．「靴を穿く際、紐の半環状部を連繋金具８または１０に掛けることにより全鳩目金具に挿通している紐が適度の力で一様に引き締められ、穿き心地のよい紐結びが容易かつ迅速になし得られる。
　しかしてこの引き締まりは靴を脱ぐ際、連繋金具部における紐の引掛けを外すことにより、簡易に弛めることができるので、従来の紐結び式の有する靴の左右両翼部における適度な引締りを具備しながら靴の脱ぎ穿きを迅速かつ簡単に行うことができ、しかもこれを従来の鳩目式金具を備えた紐結び式靴に多くの加工を加えることなく実施ができて実用上有益な発明である。」（第２頁右欄第３〜１３行）
（３）引用刊行物３
　同じく、引用され、本願出願前に頒布された昭和１４年実用新案出願公告第１１６６５号公報（以下「引用刊行物３」という。）には、第１〜３図とともに以下の事項が記載されている。
ア．「本案ハ舌片(1)ノ上部ニ図ノ如キ形状ヲ成セル孔(2)(3)(4)(5)ヲ開設シ紐(6)ヲ以テ鳩目(7)ニ綴着スルモノニシテ(8)ハ舌片前方縫込部トス
本案ハ残部分ノ
紐(6)ヲ
右ヨリ孔(4)(3)左ヨリ孔(3)(4)ニ通シ
舌片ハ
靴ノ中心ニ保チ
折曲離脱及前方舌片縫込部(8)ノ破綻ヲ減少セシム
上部口縁ノ紐ハ二重トナリ従テ紐ノ耐久力ヲ増加セシムル
従来ノ短靴ニ於ケル舌片ハ左右内側上部ニ止縫ヲ施シアリ故ニ着用スル時ハ舌片ハ斜トナリ靴ノ中心ニ保ツコト能ハス従テ前方縫込部(8)ノ各外側及上部止縫ハ極メテ破綻し易ク又舌片止縫ハ上部ノ各一端ニ施シアル為メ
内側ニ折曲シ易キ弊害アリ
イ．第２及び３図には、舌片(1)の孔(2)(3)(4)(5)が、一番、はき口に近い左右ノ鳩目を結ぶ紐(6)の部分に対応して設けられることが図示される。
（４）引用刊行物４
　同じく、引用され、本願出願前に頒布された実願昭５９−１９２０３２号（実開昭６１−１０７３０５号）のマイクロフィルム（以下「引用刊行物４」という。）には、第１〜１４図とともに以下の事項が記載されている。
ア．「砂よけ片の表材１６の下端及び取付縁１３を、靴前甲皮Ｂの締付部Ｃの内側に縫着して使用するものであった。
　この場合、取付縁１３の上端は、靴前甲皮Ｂの紐付部Ｃの第二紐孔９付近に位置し、折返片１８の左右両側は、靴前甲皮Ｂに全く縫着されておらず、砂よけ片は、締付部Ｃの上端付近、即ち、くびれ部１７で幅が狭くなっている。
　このため、足の甲に力を入れてふんばると、砂よけ片が片方にずれて、手際が悪く、砂が入りやすい欠点があった。
（考案が解決しようとする問題点）
　従来品のもつ欠点を解消させ、砂よけ片がずれ難く、砂の入り難い運動靴を提供する点にある。」（明細書第２頁第１６行〜第３頁第９行）
イ．「本考案に係る砂よけ片Ａは、第１図及び第２図に示したように、取付縁２を有する甲覆材ａに、第一緩衝材ｂを介して表材ｄを積層し、この積層体の上端に折返片ｅを配し、この折返片ｅの下端表面上に、第二緩衝材ｆを介して、横長の耳帯ｇを取付けたものである。」（明細書第４頁第３〜８行）
ウ．「耳帯ｇは、第１図及び第３図に示すように、下方に少許膨れた耳片部５を左右両側に設け、中央より少許右寄りに、二個の挿通孔６を穿設し、折返片ｅの横幅より長い、横長の帯状体である。」（明細書第５頁第４〜７行）
エ．「靴前甲皮Ｂの締付部Ｃ内側に、砂よけ片Ａを配し、第９図に示したように、砂よけ片Ａの甲覆材ａの上端を締付部Ｃの第二紐孔９付近に位置させる。
　そして、該砂よけ片Ａの取付縁２を少許たるませた状態で、取付縁２の外周付近を、該締付部Ｃの外縁付近の靴前甲皮Ｂ内側に縫着１１し、第１１図に示した状態とする。
　締付部Ｃの下端の靴前甲皮Ｂ内側に、表材ｄの下端及び取付縁２の下部を縫着１２する。
　以上により、第１０図に示したように、砂よけ片Ａの耳片部５を、靴前甲皮Ｂの締付部Ｃ内側の第一紐孔１０付近に内装し、本考案の運動靴とする。
　次に、本考案に係る運動靴の使用方法について説明する。
　靴紐Ｄを締付部Ｃの各紐孔に下から順に挿通する。
　第二紐孔９に挿通した靴紐Ｄの一端を、耳帯ｇの挿通孔６に挿通する。
　そして、第１０図に二点鎖線で示したように、この靴紐Ｄを第一紐孔１０に挿通して使用するものである。」（明細書第６頁第１１行〜第７頁第１３行）
オ．第９図には左右の第一紐孔１０を結ぶ線上に耳帯ｇの挿通孔６を設ける態様が図示されている。
　
３．対比・判断
　本願発明と引用発明とを対比すると、後者の「足を入れるための開口部５」は、その機能・構造からみて、前者の「はき口」に相当し、以下同様に、後者の「作業靴１の足を入れるための開口部５の前方に位置する、左右に割れて、左片６、右片７からなる割れ部８」は前者の「靴本体のはき口切欠部」に、後者の「割れ部８の左片６、右片７の側縁」は前者の「切欠部の対向する両側縁部」に、後者の「左片６および右片７の下面に重なって割れ部８を下面から塞ぐように舌革部９を配置」することは前者の「切欠部を塞ぐ舌片を取付」ることに、後者の「作業靴１」は前者の「靴」にそれぞれ相当する。
　また、後者の「紐１０を通すための締め付け部１１ａ，１２ａ，１３ａ及び締め付け部１１ｂ，１２ｂ，１３ｂ」と前者の「紐孔」とはともに「紐通し部材」である点で共通するとともに、後者の「左右に割れて、左片６、右片７からなる割れ部８の左片６、右片７の側縁のそれぞれに、紐１０を通すための締め付け部１１ａ，１２ａ，１３ａ及び締め付け部１１ｂ，１２ｂ，１３ｂを左右対称に配置」する態様は、前者の「両側縁部に、１列の紐孔群をそれぞれ設け」る態様と「両側縁部に、１列の紐通し部材群をそれぞれ設け」る点で共通する。
　そして、後者の「締め付け部１１ａ，１２ａ，１３ａ及び締め付け部１１ｂ，１２ｂ，１３ｂ」は「それぞれ開口部５の側から１３ａ，１２ａ，１１ａ及び１３ｂ，１２ｂ，１１ｂに並」んでいるから、「締め付け部１３ａ，１３ｂ」及び「締め付け部１２ａ，１２ｂ」は前者の「１番目」「の紐孔」及び「２番目の紐孔」はそれぞれ「１番目の紐通し部材」及び「２番目の紐通し部材」の点で共通する。
　後者は「紐１０を締め付け部１２ａから締め付け部１３ａへと、締め付け部１２ｂから締め付け部１３ｂへと通し」、「その一端に面ファスナ２８を有し、紐１０が挿通された帯状の部材である結束手段２７で、締め付け部１２ａから締め付け部１３ａへ通された紐１０と、締め付け部１２ｂから締め付け部１３ｂへ通された紐１０を束ねることで足を締め付けて」いるから、前者の「紐孔群の上方より１番目と２番目の紐孔に紐を挿通して対のループを設け、この両ループをフックで係止して紐を所要の締結状態にロック可能と」することとは、「紐通し部材群の上方より１番目と２番目の紐通し部材に紐を挿通して対のループを設け、この両ループを締結部材で係止して紐を所要の締結状態にロック可能と」する点で共通する。
　さらに後者の締め付け部１３ａ，１３ｂは「左片６及び右片７に形成された貫通穴」であるから、前者の「両側縁部に」「設け」られた「紐孔群の上方より１番目」「の紐孔」に相当する。
　そうすると、両者は、
「靴本体のはき口切欠部の対向する両側縁部に、１列の紐通し部材群をそれぞれ設け、前記切欠部を塞ぐ舌片を取付け、前記紐通し部材群の上方より１番目と２番目の紐通し部材に紐を挿通して対のループを設け、この両ループを締結部材で係止して紐を所要の締結状態にロック可能とした靴。」である点で一致し、以下の点で相違しているものと認められる。
　
相違点Ａ：紐通し部材に関し、本願発明が「両側縁部に」設けられた「紐孔」であるのに対し、引用発明の締め付け部１３ａ，１３ｂは「左片６及び右片７に形成された貫通穴」であるものの、その他の締め付け部１１ａ，１２ａ，１１ｂ，１２ｂはそうでない点。
相違点Ｂ：締結部材に関し、本願発明が「フック」であるのに対して引用発明はそうではない点。
相違点Ｃ：本願発明が「舌片上部の前記両側縁部１番目の紐孔間を結ぶ紐下の中央部に、脱落防止紐通し片を設け、前記紐を横方向に挿通して舌片上の紐通し片と一体化した結び目を作成可能とした」のに対して、引用発明は「これら締め付け部を通された紐１０が一番開口部５の側にある締め付け部１３ａ，１３ｂ間で結ばれる」ものの上記のようではない点。
　
　そこで、上記相違点について検討する。
（１）相違点Ａについて
　引用発明の「割れ部８の左片６、右片７の側縁のそれぞれに、紐１０を通すための締め付け部１１ａ，１２ａ，１３ａ及び締め付け部１１ｂ，１２ｂ，１３ｂ」の具体的構成を紐孔とすることは、引用発明も締め付け部１３ａ，１３ｂが本願発明と同様の紐孔といえるとともに、引用刊行物２〜４にも示されるように、当該技術分野において慣用手段でもある。そして、そのことによる格別の効果も認められないから、締め付け部１１ａ，１２ａ，１１ｂ，１２ｂも、締め付け部１３ａ，１３ｂと同様に、割れ部８の左片６、右片７の側縁に設けた紐孔とすることは当業者が適宜なし得たことといえる。
　
（２）相違点Ｂについて
　引用刊行物２には、靴体に取付けられた紐３の第１半環状部Ａ−５，Ａ−６及び第２半環状部Ｂ−５，Ｂ−６のうちＡ−５とＢ−５にその一端が取付けられ、他端に形成された鉤部８−Ｄを、紐３を引掛けて適度の力で一様に引き締める、連繋金具Ａ−８，Ｂ−８が示されている。そうすると、引用発明において、紐１０を束ねることで足を締め付ける結束手段２７に代えて、同様の作用をなす引用刊行物２に示された記載の他端に鉤部８−Ｄを形成した連繋金具Ａ−８，Ｂ−８を用いることは、当業者が適宜なし得たことといわざるを得ない。そしてそのことによる格別の効果もない。
　
（３）相違点Ｃについて
　靴の舌片が折れ曲がったり、ずれないように、靴紐を通す孔や片を、舌片の中央上部に設けることは、通常行われることである（必要あれば、実願昭５９−１３０１８３号（実開昭６１−４５８０９号）のマイクロフイルム等参照。）。
　また、引用刊行物３には、舌片を靴の中心に保ち、内側への折れ曲がりを防ぐために、舌片(1)の、一番、はき口に近い左右ノ鳩目を結ぶ紐(6)の部分に対応して、孔(2)(3)(4)(5)を設け、その孔(3)(4)に、上記紐(6)を通すことが示され、引用刊行物４にも、はき口に一番近い左右の第一紐孔１０を結ぶ線上に挿通孔６を設けることが示されている。
　そうすると、引用発明における舌革部９においても、折れ曲がりやずれを防ぐために、引用刊行物３や４に倣って、一番開口部５の側にある締め付け部１３ａ，１３ｂ間で結ばれる紐１０を通すように、その線上に紐を通す穴を設けることは当業者が格別の困難性を要することなくなし得たことである。
　加えて、引用発明の舌革部９を横切る紐１０についてみると、結束手段２７で結束する前、一番開口部５に近い締め付け部１３ａ，１３ｂ間の次は、舌革部９の中間より下方である締め付け部１１ａ，１２ａ及び締め付け部１２ｂ，１３ｂの中間である。そうすると、上記のように靴の舌片が折れ曲がったり、ずれないように穴を設けようとするとき、なるべく上部の方が効果的であることも当業者にとって明らかであることからも、引用刊行物３や４に倣って、上記のように締め付け部１３ａ，１３ｂ間の線上に穴を設けることは当業者が通常の創作性の発揮にすぎないと言わざるを得ない。
　また、紐を通す穴を設ける具体的構成として、紐通し片とすることも、例えば、実願平３−６３５７４号（実開平５−１３２０４号）のＣＤ−ＲＯＭにも示されるように当業者が適宜なし得た設計上の事項にすぎない。
　そして、このように構成されるとき、締め付け部１３ａ，１３ｂ、舌革部９に設ける紐通し片及び紐１０の配置、構成において本願発明と差異はなく、引用発明は紐１０を一番開口部５の側にある締め付け部１３ａ，１３ｂ間で結ぶものであるから、本願発明と同様に、紐１０を横方向に挿通して舌革部９の紐通し片や紐を通す穴と一体化した結び目を作成可能であるといえる。
　なお、本願発明の紐通し片について、単に紐通し片と一体化した結び目が作成可能というのみであって、どのような紐通し片でもそこで結ぶ紐が通れば一体化するよう結ぶことは可能といえ、例え、紐通し片が図２のように靴紐を２本通すものであるとしても、引用刊行物３には、舌片の孔に２本の靴紐を通すことが記載されており、そのことが格別とはいえない。
　
　そして、上記相違点Ａ〜Ｃを合わせみても、その効果が格別であるとはいえない。
　
　よって、本願発明は、引用発明及び引用刊行物２〜４に記載の事項に基づいて、当業者が容易に発明をすることができたものといえる。
　
４．むすび
　以上のように、本願発明は、引用発明及び引用刊行物２〜４に記載の事項に基づいて当業者が容易に発明をすることができたものであるから、特許法第２９条第２項の規定により特許を受けることができない。
　よって、結論のとおり審決する。